(57)【特許請求の範囲】
【請求項１】
経路情報を保有するネットワーク間接続装置により接続された複数のネットワークを有するシステムにおいて、個々のネットワークに通信可能な状態で接続されている通信端末のアドレスを表示するネットワーク構成表示装置であって、ネットワークアドレスを保持するネットワーク情報テーブルと、自装置が接続されているネットワークで、ネットワーク間接続装置が流し合う経路情報パケットを検出し、このパケットに含まれる経路情報より到達可能範囲のネットワークアドレスを取得し、ネットワーク情報テーブルに登録する経路情報パケット検出手段と、前記ネットワーク情報テーブルの各エントリより順次ネットワークアドレスを読出すネットワーク情報テーブル検索手段と、この検索されたネットワークアドレス値により、これのホストアドレス部分を割出し、ホストアドレス部分を通信端末に割り当できる範囲で変化させて、一連の通信端末のアドレスを生成する探索アドレス生成手段と、生成した通信端末のアドレスを宛先アドレスとしたテストパケットを作成し送信するパケット送出手段とを有し、送信したテストパケットに対する応答結果より、前記接続されている通信端末のアドレスを得ることを特徴とするネットワーク構成表示装置。
【請求項２】
前記ネットワーク構成表示装置であって、前記ネットワーク情報テーブルと、前記経路情報パケット検出手段と、前記ネットワーク情報テーブル検索手段と、前記探索アドレス生成手段と、前記パケット送出手段と、送信したテストパケットに対する応答パケットを検出し、応答パケットの送信元アドレスを前記接続されている通信端末のアドレスとし、ホスト情報テーブルに登録する応答パケット検出手段とを有することを特徴とする請求項１記載のネットワーク構成表示装置。
【請求項３】
表示手段を有し、前記接続されている通信端末のアドレスを一覧表示することを特徴とする請求項１、又は２記載のネットワーク構成表示装置。
【請求項４】
前記パケット送信手段が送信するテストパケットをＩＣＭＰエコー要求パケットとすることを特徴とする請求項１、又は２記載のネットワーク構成表示装置。
【請求項５】
通信端末アドレス対通信端末名の対応表を有し、前記接続されている通信端末のアドレスで前記対応表を引き、前記接続されている通信端末のアドレス及び通信端末名を一覧表示することを特徴とする請求項３記載のネットワーク構成表示装置。
【請求項６】
前記ネットワーク構成表示装置であって、前記ネットワーク情報テーブルと、前記経路情報パケット検出手段と、前記ネットワーク情報テーブル検索手段と、前記探索アドレス生成手段と、前記パケット送出手段と、前記応答パケット検出手段と、前記ホスト情報テーブルと、通信端末からのホスト情報読出要求を受信すると、前記ホスト情報テーブルの内容を含めて要求元の通信端末に返信するホスト情報読出要求処理手段とを有することを特徴とする請求項２乃至５の何れかに記載のネットワーク構成表示装置。
【発明の詳細な説明】
【０００１】
【発明の属する技術分野】
本発明はネットワーク構成表示装置に関し、特にルータ等により接続された多数のネットーワークの一つに接続され、これらの個々のネットワークに接続されたホスト端末の状態を把握し、表示するネットワーク構成表示装置に関する。
【０００２】
【従来の技術】
従来、ネットワーク管理者がネットワークに接続されている端末の有無を調べる為には、テスト用パケットを送出し、これによる応答の有無によって端末の接続状況を判断していた。
【０００３】
又、ネットワーク管理者は所定の管理装置を操作し、ネットワークに接続された端末の状態をこの管理装置の表示ユニットに表示し、管理する為の情報を得ていた。
【０００４】
ここで、ネットワーク管理者は専業であるとは限らず、例えば他の開発或いは営業等の業務を行いながら、ネットワーク管理業務も兼ねて行っている場合も多くあり、ネットワークに関連するトラブルが有った場合、管理者は自席より管理装置へ出向き情報収集等を行っていた。
【０００５】
【発明が解決しようとする課題】
この従来技術による手段では、ネットワーク管理装置が直接接続されているネットワークに存在する端末の有無しか知ることが出来ないという問題点が有った。
【０００６】
又、上記の様な兼務のネットワーク管理者が、自席に設置された開発或いは営業等の業務を行う為の通信端末から、ネットワーク管理装置が収集した情報を獲得出来ないと言う第２の問題点も有った。
【０００７】
【課題を解決するための手段】
本発明による第１のネットワーク構成表示装置は、経路情報を保有するネットワーク間接続装置により接続された複数のネットワークを有するシステムにおいて、個々のネットワークに通信可能な状態で接続されている通信端末のアドレスを表示するネットワーク構成表示装置であって、ネットワークアドレスを保持するネットワーク情報テーブルと、自装置が接続されているネットワークでネットワーク間接続装置が流し合う経路情報パケットを検出し、このパケットに含まれる経路情報より到達可能範囲のネットワークアドレスを取得し、ネットワーク情報テーブルに登録する経路情報パケット検出手段と、前記ネットワーク情報テーブルの各エントリより順次ネットワークアドレスを読出すネットワーク情報テーブル検索手段と、この検索されたネットワークアドレス値により、これのホストアドレス部分を割出し、ホストアドレス部分を通信端末に割り当できる範囲で変化させて、順次、通信端末のアドレスを生成する探索アドレス生成手段と、生成した通信端末のアドレスを宛先アドレスとしたテストパケットを作成し送信するパケット送出手段とを有し、送信したテストパケットに対する応答結果より、前記接続されている通信端末のアドレスを得ることを特徴とする。
【０００９】
本発明による第２のネットワーク構成表示装置は、前記ネットワーク構成表示装置であって、前記ネットワーク情報テーブルと、前記経路情報パケット検出手段と、前記ネットワーク情報テーブル検索手段と、前記探索アドレス生成手段と、前記パケット送出手段と、送信したテストパケットに対する応答パケットを検出し、応答パケットの送信元アドレスを前記接続されている通信端末のアドレスとし、ホスト情報テーブルに登録する応答パケット検出手段とを有することを特徴とする。
【００１０】
本発明による第３のネットワーク構成表示装置は、表示手段を有し、前記接続されている通信端末のアドレスを一覧表示することを特徴とする。
【００１１】
本発明による第４のネットワーク構成表示装置は、前記パケット送信手段が送信するテストパケットをＩＣＭＰエコー要求パケットとすることを特徴とする。
【００１２】
本発明による第５のネットワーク構成表示装置は、通信端末アドレス対通信端末名の対応表を有し、前記接続されている通信端末のアドレスで前記対応表を引き、前記接続されている通信端末のアドレス及び通信端末名を一覧表示することを特徴とする。
【００１３】
本発明による第６のネットワーク構成表示装置は、前記第２乃至第５の何れかのネットワーク構成表示装置であって、前記ネットワーク情報テーブルと、前記経路情報パケット検出手段と、前記ネットワーク情報テーブル検索手段と、前記探索アドレス生成手段と、前記パケット送出手段と、前記応答パケット検出手段と、前記ホスト情報テーブルと、通信端末からのホスト情報読出要求を受信すると、前記ホスト情報テーブルの内容を含めて要求元の通信端末に返信するホスト情報読出要求処理手段とを有することを特徴とする。
【００１４】
【発明の実施の形態】
次に、本発明の第１実施形態について図面を参照して詳細に説明する。図１は、本発明のネットワーク構成表示装置１が対象とし、互いにルータで接続された多数のネットワークの構成図である。
【００１５】
図１を参照し、ネットワーク１０には通信端末１０−１、１０−２、１０−３が接続され、ネットワーク２０には通信端末２０−１、２０−２とネットワーク構成表示装置１が接続されている。同様に、ネットワーク８０には通信端末８０−１、・・８０−３が接続されている。
【００１６】
又、ネットワーク１０と２０はルータ１５で接続され、ネットワーク２０と隣接のネットワークとはルータ２５で接続されている。同様の構成でネットワーク２０から見て、下方の６番目までのネットワーク８０までルータでネットワーク間接続がされている。
【００１７】
図示の如くネットワーク１０、２０、・・８０のＩＰ（Ｉｎｔｅｒｎｅｔ−Ｐｒｏｔｏｃｏｌ）アドレスを［１９２．２００．１０．０］、［１９２．２００．１１．０］、・・、［１９２．２００．１７．０］とする。
【００１８】
又、通信端末１０−１〜１０−３のＩＰアドレスのホストアドレス部のアドレスを［２］〜［４］とする。通信端末２０−１〜８０−３にも同様にＩＰアドレスが設定されている。
【００１９】
ルータ１５のネットワーク１０に接続されているポートのＩＰアドレスは、［１９２．２００．１０．１］とし、他方のポートのＩＰアドレスは、［１９２．２００．１１．１］とする。
【００２０】
次に図２を参照し本実施形態のネットワーク構成表示装置１の構成を説明する。ネットワーク構成表示装置１は、ネットワーク構成情報収集部１１とホストステータス収集・表示部１２とこれらの下位層としてのＩＰ処理部１３とネットワークアダプタ１４から構成される。
【００２１】
ネットワーク構成情報収集部１１はルーティングパケット検出部１１１とネットワーク情報テーブル１１２を有す。ルーティングパケット検出部１１１はネットワーク構成表示装置１が接続されたネットワーク２０上のルーティングパケットを検出し、このパケット内のネットワークアドレス（ＩＰアドレス）をネットワーク情報テーブル１１２に登録していく。
【００２２】
ホストステータス収集・表示部１２はネットワーク情報テーブル１１２のネットワークアドレスを一つづつ順次選択するネットワーク情報テーブル検索部１２１と、選択したネットワークアドレスから通信端末のＩＰアドレスを生成する探索アドレス生成部１２２と、生成したＩＰアドレスを宛先アドレスとしたテストパケットを作り送出するパケット送出部１２３を有す。
【００２３】
又、テストパケットに対する応答パケットを検出することで、ルータ１５、２５より到達可能な全てのネットワークに通信可能状態で接続されている通信端末のＩＰアドレスを把握し、これをホスト情報テーブル１２５に記録する応答パケット検出部１２４、ホスト情報テーブル１２５の内容及び通信端末名を纏め表示する表示部１２６も有している。
【００２４】
ネットワークアダプタ１４は、ネットワーク構成表示装置１の通信機能の物理層及びデータリンク層の機能を有すインタフェースアダプタである。自装置のＭＡＣ（Ｍｅｄｉａ  Ａｃｃｅｓｓ  Ｃｏｎｔｒｏｌ）アドレス宛のフレーム、ブロードキャストのフレームを受信するとフレーム内データ部分をＩＰ処理部１３に渡し、又ＩＰ処理部１３よりパケットを受け取り、これをデータ部とするフレームを作成しネットワーク２０に送出する。
【００２５】
ＩＰ処理部１３はネットワークアダプタ１４からのデータがＩＰパケットであればこれを解読しプロトコルがＵＤＰ（Ｕｓｅｒ  Ｄａｔａｇｒａｍ  Ｐｒｏｔｏｃｏｌ）であれば、ＩＰパケットのデータ部をルーティングパケット検出部１１１に渡し、プロトコルが、例えばＩＣＭＰ（Ｉｎｔｅｒｎｅｔ  Ｃｏｎｔｒｏｌ  Ｍｅｓｓａｇｅ  Ｐｒｏｔｏｃｏｌ）等のテスト用応答パケットのプロトコルであればＩＰパケットの、送信元ＩＰアドレス、データ部を応答パケット検出部１２４に渡す。
【００２６】
又、パケット送出部１２３から、宛先ＩＰアドレス、テスト用パケットを受け取り、これらを含むＩＰパケットを作成し、ネットワークアダプタ１４に渡す。
【００２７】
次に、本実施形態の動作について図面を参照して説明する。図１の様なルータ接続された複数のネットワークでは、各ルータは自装置が保持する経路情報（ルーティングテーブル）を定期的（例えば３０秒周期）に、隣接ネットワークにブロードキャストし合い、ルーティングテーブルの経路情報を追加更新する。ブロードキャストが１０数回行われると各ルータは規定の到達範囲（１５ホップ）のネットワークとそれへのルータのアドレスを保持した状態に落ち着く。
【００２８】
図３にルータ２５のルーティングテーブルの例を示す。ルーティングテーブルには、ネットワークのＩＰアドレスとそのネットワークへのルートとなるルータのＩＰアドレスとホップ数を１エントリとして、６ホップ迄の経路情報が保持されている。ルータ２５はこの経路情報をルーティングパケットとしてネットワーク２０やこの次のネットワークにブロードキャストしている。
【００２９】
このルーティングパケットをＲＩＰ（Ｒｏｕｔｉｎｇ  ＩｎｆｏｍａｔｉｏｎＰｒｏｔｏｃｏｌ）とした場合、ルーティングパケットを含むフレームは図６の様になる。
【００３０】
ＭＡＣヘッダには、宛先ＭＡＣアドレスをブロードキャスト（ＦＦｈ〜ＦＦｈ）とし、送信元ＭＡＣアドレスをｍａ１（ルータ２５のネットワーク２０側ポートのアドレス）とし、タイプフィールドにはネットワーク２０のタイプに応じたコードがセットされている。
【００３１】
ＩＰヘッダのプロトコルフィールドには１１ｈ（＝ＵＤＰ）がセットされ、送信元ＩＰアドレスにルータ２５のＩＰアドレス、宛先ＩＰアドレスにネットワーク２０のアドレスがセットされている。
【００３２】
ＵＤＰヘッダには、送信元ポート、宛先ポート共規定に従って５２０（１０進）がセットされ、ＵＤＰパケット長にはデータ部を含めたＵＤＰ−Ｌがセットされている。
【００３３】
ＲＩＰヘッダ１にはオペレーションコードとして定期ブロードキャストの経路情報を示す０２ｈがセットされている。ＲＩＰヘッダ２にはネットワークアドレスがＩＰアドレスであることを示す０２ｈがセットされている。
【００３４】
ＲＩＰヘッダ２の次にはルーティングテーブルの最初のエントリのＩＰアドレス［１９２．２００．１１．０］とホップ数１がセットされ、次のＲＩＰヘッダ２以降にはルーティングテーブルの２番目のエントリのＩＰアドレス［１９２．２００．１０．０］とホップ数２がセットされ、以降同様にして最後のＲＩＰ２ヘッダに続きＩＰアドレス［１９２．２００．１７．０］とホップ数６がセットされ送信される。
【００３５】
図２に戻り、ネットワークアダプタ１４は図６のフレームがブロードキャストである為これを受信し、フレームのデータ部をＩＰ処理部１３に渡す。ＩＰ処理部１３は、ヘッダの宛先ＩＰアドレスが自分が保持しているＩＰアドレスのネットワークアドレス部と一致しているのでこれを受付けヘッダを解読する。プロトコルフィールドがＵＤＰであるのでＩＰパケットのデータ部をルーティングパケット検出部１１１に渡す。
【００３６】
ルーティングパケット検出部１１１は、先ずＵＤＰヘッダ部を解読し、宛先ポートが５２０（１０進）である為ＵＤＰデータ部以降をＲＩＰ形式のルーティングメッセージと見なす。ＲＩＰヘッダ１を解読し、ルータが定期的に流すルーティングテーブル更新用の経路情報であることを検出し、各ＲＩＰヘッダ２に含まれるＩＰアドレス、ホップ数をネットワーク情報テーブル１１２に登録する。
【００３７】
この様にし、ネットワーク情報テーブル１１２には図４に示す様に、ネットワーク１０〜ネットワーク８０までのＩＰアドレスが登録される。
【００３８】
尚、検出したＩＰアドレス、ホップ数の組を一旦所定のバッファエリアに格納し、前回迄にネットワーク情報テーブル１１２に記録されたＩＰアドレスと比較し、相違があれば書き換える様にしてもよい。
【００３９】
ネットワーク情報テーブル検索部１２１はネットワーク情報テーブル１１２上の、ポインタで示されるエントリのネットワークアドレスを取得し、探索アドレス生成部１２２に入力し、次回の為にポインタを更新しておく。
【００４０】
探索アドレス生成部１２２は入力されたネットワークアドレスより、対応するネットワークに接続されている可能性があり探索対象となる通信端末の一連のＩＰアドレスを生成する。例えば、ＩＰアドレスの上位ビットで識別されるクラスに応じ、下位のホストアドレス部分のビット長を、８ビット、１６ビット、２４ビットとしこの部分が１〜２５４、１〜６５５３３、１〜１６７７２１３となる様順次インクリメントしていく。
【００４１】
インクリメントされたＩＰアドレスはその都度パケット送出部１２３に送られ、パケット送出部１２３はＩＣＭＰ（Ｉｎｔｅｒｎｅｔ  Ｃｏｎｔｒｏｌ  Ｍｅｓｓａｇｅ  Ｐｒｏｔｏｃｏｌ）エコー要求パケットを作成し、受けたＩＰアドレスを宛先とし、これらをＩＰ処理部１３に渡す。
【００４２】
ＩＣＭＰエコー要求パケットの例を図７に示す。図７のＩＰデータ部がＩＣＭＰエコー要求パケットで、タイプを０８ｈ（エコー要求）としコードを００ｈとし、識別子には例えば特定のパターンデータである５Ａｈ・５Ａｈをセットし、シーケンス番号には一つのネットワークアドレスに対し何回目の送信かを示す値をセットしておく。
【００４３】
ＩＰ処理部１３は、ＩＰアドレス、送信データ（ＩＣＭＰエコー要求パケット）を受けると、プロトコルフィールドをＩＣＭＰ（＝１）とし、受けたＩＰアドレスを宛先ＩＰアドレスとし、送信元を自分が保持しているＩＰアドレス［１９２．２００．１１．５］としたＩＰヘッダを付けＩＰパケットとし、ネットワークアダプタ１４に渡す。
【００４４】
ネットワークアダプタ１４は送信元ＭＡＣアドレスを自装置のＭＡＣアドレス（ｍａ２）とし、宛先ＭＡＣアドレスを付けフレームをネットワーク２０に送出する。
【００４５】
このフレーム内のＩＰパケットの宛先ＩＰアドレスが、ネットワーク２０以外のネットワークに存在する可能性のある通信端末を示すときは、要求パケットはルータ１５、或いは２５によって他のネットワークへ中継される。
【００４６】
要求パケットの宛先ＩＰアドレスに対応する通信端末が存在すれば、その端末はネットワーク構成表示装置１を宛先としてＩＣＭＰ応答パケットを返送する。
【００４７】
図７の例では宛先ＩＰアドレスが［１９２．２００．１０．２］（通信端末１０−１）であるので、ＩＰパケットがルータ１５により中継され通信端末１０−１に届けられる。通信端末１０−１はＩＰパケットのヘッダの送信元ＩＰアドレスと、宛先ＩＰアドレスを交換し、ＩＰデータのＩＣＭＰタイプを００ｈ（ＩＣＭＰエコー応答）に変え、識別子、シーケンス番号をそのままにして応答パケットとしフレームを返送する。
【００４８】
応答パケットを含むフレームがネットワーク構成表示装置１宛に送られて来ると、ネットワークアダプタ１４がこれを受信し、ＩＰパケットがＩＰ処理部１３に渡される。ＩＰ処理部１３は、ヘッダの自分宛のアドレス、ＩＣＭＰプロトコルを解読し、データ部のＩＣＭＰパケット、送信元ＩＰアドレスを応答パケット検出部１２４に渡す。
【００４９】
応答パケット検出部１２４はＩＣＭＰパケットのタイプがＩＣＭＰエコー応答であり、識別子が所定のパターンであることを検出し、送信元ＩＰアドレスの通信端末（ホスト）が接続されていると判定し、その通信端末のＩＰアドレスをホスト情報テーブル１２５に登録する。
【００５０】
又、同時に、パケット送出部１２３にＩＣＭＰエコー応答パケット検出を通知する。パケット送出部１２３はこの通知を受けるかタイムアウトすると、探索アドレス生成部１２２に処理中のネットワークアドレスの下位部分のインクリメントを指示し、インクリメント後のＩＰアドレスを宛先としてＩＣＭＰエコー要求パケットの送信を行う。
【００５１】
探索アドレス生成部１２２はインクリメントしたホストアドレス部が前記最大値になった場合、そのＩＰアドレスをパケット送出部１２３に渡し、ネットワーク情報テーブル検索部１２１に次エントリのネットワークアドレスの取得を指示する。
【００５２】
ネットワーク情報テーブル検索部１２１は、最終エントリを読出し、これを探索アドレス生成部１２２に渡すと、ポインタをクリアしタイマー起動されるまで待機する。タイマーは、全体ネットワークに規模、通信端末数に応じ、０．５分〜数分の周期に設定されている。
【００５３】
この様にし、上述の処理をネットワーク情報テーブル１１２に登録された全てのネットワークアドレスに対して行うことで、ルータ２０より到達可能な全てのネットワークに接続されている通信端末のＩＰアドレスが、図５のホスト情報テーブル１２５に登録される。
【００５４】
ホスト情報テーブル１２５に登録されたＩＰアドレスは、表示部１２６によって表示される。表示は例えば図８に示す様に、ＩＰアドレスの他、通信端末名を併記して表示し、システム管理者が把握し易い様にしておく。ホスト情報テーブル１２５より読み出したＩＰアドレスでＩＰ−通信端末名対応表１２７を引き、対応する通信端末名を得てこれらを纏めて表示する。
【００５５】
次に、本発明の第２実施形態について図面を参照して説明する。本実施形態はネットワーク構成表示装置のホスト情報テーブルの内容或いは表示部で纏められたホスト情報を、他の通信端末から読み出せる様にしたものである。
【００５６】
図９を参照し、ネットワーク構成表示装置１Ａはホストステータス収集・表示部１２Ａがホスト情報読出要求処理部１２８を有す点が前記実施形態と異なる。
【００５７】
ホスト情報読出要求処理部１２８は、ＩＰ処理部１３の上位層の処理部で、ＴＣＰ（Ｔｒｎｓｆｅｒ  Ｃｏｎｔｒｏｌ  Ｐｒｏｔｏｃｏｌ）処理部とその上位処理部から構成される。
【００５８】
他の通信端末からＴＣＰによるホスト情報読出要求を含むフレームを受けるとネットワークアダプタ１４は自装置のＭＡＣアドレス（ｍａ２）を検出しこのフレームを受信し、データ部をＩＰ処理部１３に渡す。ＩＰ処理部１３は自分宛のＩＰアドレスを検出し、プロトコルがＴＣＰであるのでＩＰデータ部、送信元ＩＰアドレスをホスト情報読出要求処理部１２８に渡し、ホスト情報読出要求処理部１２８はＴＣＰヘッダの宛先ポートがファイル転送であることを検出し、そのＴＣＰデータよりホスト情報読出要求であることを解読する。
【００５９】
そして表示部１２６が纏めているホスト情報（通信可能に接続されているホストのＩＰアドレスと通信端末名の一覧）を読出し、ファイル形式にして応答データパケットとし、ＩＰアドレスと共にＩＰ処理部１３に返す。ＩＰ処理部１３はネットワークアダプタ１４を通じ、要求元の通信端末のＩＰ処理部にこれを返信する。
【００６０】
この機能を使用し、ネットワーク管理者は自端末からネットワーク構成表示装置１Ａのホスト情報を読み出す。
【００６１】
以上の説明ではネットワーク間の接続装置はルータとしたがこれに限らず、経路情報を有し、これを定期的に接続されたネットワークに流す装置で少なくともネットワーク層までの通信機能を有す装置であれば本発明のネットワーク構成表示装置は適用出来る。従ってゲートウェイ装置であっても適用出来る。
【００６２】
【発明の効果】
以上説明した様に、本発明によるネットワーク構成表示装置は、自装置が接続されているネットワークに送出されるルーティングパケットを検出し、パッケットの内容より、到達可能な全ネットワークのアドレスを得てネットワーク情報テーブルを作成し、これ拠り所としてネットワークに通信可能に接続された端末のＩＰアドレスを得る手段を有すので、到達可能な範囲のネットワークに接続されているホストの構成（ホストの数と、各ホストのＩＰアドレス）を知ることが出来る効果を有す。
【００６３】
又、上記手段は所定の周期で定期動作するので、ネットワーク構成表示装置には、通信可能な状態で接続されている通信端末のアドレスが常に最新の状態で表示される。
【００６４】
従って、システムの構成定義情報、運用構成の定義情報と比較することで、ネットワーク全体の障害状態、或いは通信端末等の立ち上げ忘れを即座に指摘出来る。
【００６５】
又、通信端末のＩＰ処理部にアサインされたＩＰアドレス等が不当に変更設定された場合即座にこれを検出できる。
【００６６】
本発明の２実施形態のネットワーク構成表示装置は、通信端末から送られるホスト情報読出要求に対応し、最新のホスト情報を返信する手段を有すので、ネットワーク管理者が自端末からネットワーク構成表示装置１Ａのホスト情報を読み出せ、ネットワーク管理者の負担を軽減する効果を有す。
【図面の簡単な説明】
【図１】本発明のネットワーク構成表示装置１、１Ａが対象とする、ルータ接続された多数のネットワークの構成例を示す図。
【図２】本発明のネットワーク構成表示装置の第１実施形態の構成を示したブロック図。
【図３】図１のルータ２５が保有するルーティングテーブルの内容例を示した図。
【図４】図２のネットワーク情報テーブル１１２の内容例を示した図。
【図５】図２のホスト情報テーブル１２５の内容例を示した図。
【図６】図１のネットワーク２０に送出されるルーティングパケットを含むフレームの内容を示す図。
【図７】本発明のネットワーク構成表示装置１が送受信するＩＣＭＰエコー要求パケット／ＩＣＭＰエコー応答パケットを含むフレームの内容を示す図。
【図８】図２の表示部１２６が表示する内容例を示す図。
【図９】本発明のネットワーク構成表示装置の第２実施形態の構成を示したブロック図。
【符号の説明】
１    ネットワーク構成表示装置
１０、２０、８０    ネットワーク
１０−１〜１０−３    通信端末
２０−１、２０−２    通信端末
８０−１〜８０−３    通信端末
１１    ネットワーク構成情報収集部
１１１    ルーティングパケット検出部
１１２    ネットワーク情報テーブル
１２    ホストステータス収集・表示部
１２１    ネットワーク情報テーブル検索部
１２２    探索アドレス生成部
１２３    パケット送出部
１２４    応答パケット検出部
１２５    ホスト情報テーブル
１２６    表示部
１２７    ＩＰ−通信端末名対応表
１２８    ホスト情報読出要求処理部
１３    ＩＰ処理部
１４    ネットワークアダプタ
１５、２５、８５    ルータ
【図１】
0003573079.tif 000002
【図２】
0003573079.tif 000003
【図３】
0003573079.tif 000004
【図４】
0003573079.tif 000005
【図５】
0003573079.tif 000006
【図６】
0003573079.tif 000007
【図７】
0003573079.tif 000008
【図８】
0003573079.tif 000009
【図９】
0003573079.tif 000010